(57)【要約】      （修正有）【課題】支持底面積を拡大し支持の安定性と実用性を高める効果と、異なる高さ及び形状の固定物上に便利に吸着させる効果を有する複数の吸盤を備える脚架の支持アームを提供する。【解決手段】上部に枢着棒台を突設し、底部にはねじ山または引っ張り嵌合により構成される締着体を設けて吸盤体を移動吸着固定させる脚架棒を設け、枢着棒台の上部にはそれぞれ横向きの枢着螺合棒を支持アーム棒に連結し、更に複数の支持アーム間は横向きの枢着螺合棒で連結棒を連結し相互に結合することで一体形成し、連結棒中段には枢着棒台を突設し、横向きの枢着螺合棒は取り付け部に連結し、取り付け部は挟持配置台に挿入固定する。【選択図】図１
0003162631.tif 000002
【実用新案登録請求の範囲】
【請求項１】
脚架棒と支持アーム棒と連結棒と取り付け部とにより構成される複数の吸盤を備える脚架の支持アームにおいて、
前記脚架棒は一端に枢着棒台を突設し、他の一端底部にはねじ山または引っ張り嵌合により構成される締着体を設けて吸盤体を移動吸着固定させる棒架を設け、吸盤体は軟質接着体で製作するため、吸着台面の非平滑または窪みや隙間のある表面を圧して粘着密閉することができ、枢着棒台の上部にはそれぞれ横向きの枢着螺合棒を支持アーム棒に連結し、更に複数の支持アーム棒の末端を横向きの枢着螺合棒で連結棒に連結し相互に結合することで一体形成し、前記連結棒中段には枢着棒台を突設し、横向きの枢着螺合棒にはエッジを調整可能な取り付け部に連結することを特徴とする複数の吸盤を備える脚架の支持アーム。
【請求項２】
請求項１記載の複数の吸盤を備える脚架の支持アームにおいて、前記脚架棒と連結棒間に複数の支持アーム棒と連結棒を連結構成するアームを軸着することにより各脚架棒を異なる高さ及び角度に調整して異なる高さ及び段差のある台面上に便利に吸着固定することを特徴とする複数の吸盤を備える脚架の支持アーム。
【請求項３】
請求項１記載の複数の吸盤を備える脚架の支持アームにおいて、前記連結棒は多叉形状の棒体とし、それぞれに支持アーム棒を組み合わせて連結することを特徴とする複数の吸盤を備える脚架の支持アーム。
【請求項４】
請求項１記載の複数の吸盤を備える脚架の支持アームにおいて、前記取り付け部のエッジに挿入固定する挟持配置台を備えることを特徴とする複数の吸盤を備える脚架の支持アーム。
【請求項５】
請求項４記載の複数の吸盤を備える脚架の支持アームにおいて、前記挟持配置台の底縁に電源挿入部を取り付けて積載物の充電や電気供給を行うことを特徴とする複数の吸盤を備える脚架の支持アーム。
【請求項６】
請求項４記載の複数の吸盤を備える脚架の支持アームにおいて、前記挟持配置台の前端には開口を形成し、底部には嵌着台を設け、嵌着台は取り付け部のエッジに挿設して嵌合固定し、挟持配置台底部の前方縁には逆鉤状の連結嵌入体を設け、連結嵌入体上には前縁に弾性制御片を備えるストッパー台を挿入嵌合固定連結し、且つストッパー台は挟持配置台前端の開口を密閉遮断することを特徴とする複数の吸盤を備える脚架の支持アーム。
【考案の詳細な説明】
【技術分野】
【０００１】
本考案は複数の吸盤を備える脚架の支持アームに関し吸盤式支持アームに対して便利性及び安定性を改善した設計を有し、複数の上部より枢着棒台を突設し、底端部にはねじ山または引っ張り嵌合により構成される締着体を設けて吸盤体を移動吸着固定させる脚架棒を設け、枢着棒台上部にはそれぞれ横向きの枢着螺合棒を支持アーム棒に連結し、更に複数の支持アーム棒間は横向きの枢着螺合棒で連結棒に連結し相互に結合することで一体形成し、連結棒中段には枢着棒台を突設し、横向きの枢着螺合棒を取り付け部に連結し、取り付け部は挟持配置台に挿入固定する。端部を吸盤体とし、回転調節できる脚架棒は同じ或いは異なる高さの固定物上に迅速に吸着を調整して支持させられ、しかも積載物を直接嵌着するか挟持配置台に取り付けた後積載物を挟持嵌設するため、支持アームを便利に取り付け支持底面積を拡大して支持の安定性と実用性を高められる考案である。
【背景技術】
【０００２】
一般に車中の携帯電話、エムピー３、パソコン等に使用する支持アームの多くは単一の吸盤棒であり、吸着台面の孤形度、形状、傾斜度、大きさ、凹凸等、積載物の形状、重量、大きさ等に制限されるため適切位置に安定配置することができないばかりか、底面積が小さく重心が偏り傾斜して負荷重量が変化する欠点が存在する故、更に研究改善の必要性を有する。
【考案の概要】
【考案が解決しようとする課題】
【０００３】
本考案者は十数年に渡り支持アーム用品製作、設計に従事してきた経験をもとに一意専心研究に取り組み努力を積み重ね、以上の欠点に対し改善方法を追求し多くの実験試作を経てついに本考案の複数の吸盤を備える脚架の支持アームを生み出した。
【課題を解決するための手段】
【０００４】
本考案の主な目的は次の複数の吸盤を備える脚架の支持アームを提供することにある。それは複数の上部より枢着棒台を突設し、底端部にはねじ山または引っ張り嵌合により構成される締着体を設けて吸盤体を移動吸着固定させる脚架棒を設け、枢着棒台上部にはそれぞれ横向きの枢着螺合棒を支持アーム棒に連結し、更に複数の支持アーム棒間は横向きの枢着螺合棒で連結棒に連結し相互に結合することで一体形成し、連結棒中段には枢着棒台を突設し、横向きの枢着螺合棒を取り付け部に連結し、取り付け部は挟持配置台に挿入固定する。端部を吸盤体とし、回転調節できる脚架棒は同じ或いは異なる高さの平板固定物上に迅速に吸着を調整して支持させられ、しかも積載物を直接嵌着するか挟持配置台に取り付けた後積載物を挟持嵌設するため、支持アームを便利に取り付け支持底面積を拡大して支持の安定性と実用性を高める。
【０００５】
本考案の第二の目的は次の複数の吸盤を備える脚架の支持アームを提供することにある。それは脚架棒と連結棒間に複数の支持アーム棒と連結棒を連結して構成するアームを軸着することにより脚架棒を異なる高さ及び角度に調整して、異なる高さ及び形状の固定物上に便利に吸着させるものである。
【考案の効果】
【０００６】
本考案の複数の吸盤を備える脚架の支持アームは、支持アームを便利に取り付け支持底面積を拡大し支持の安定性と実用性を高める効果と、脚架棒を異なる高さ及び角度に調整して異なる高さ及び形状の固定物上に便利に吸着させる効果を有する。
【図面の簡単な説明】
【０００７】
【図１】本考案の実施例１に関する立体図である。
【図２】本考案の実施例１に関する立体分解図である。
【図３】本考案の実施例２に関する立体図である。
【図４】本考案の実施例２に関する立体分解図である。
【図５】本考案の実施例３に関する立体図である。
【図６】本考案の実施例４に関する立体分解図である。
【考案を実施するための形態】
【０００８】
本考案の構造及びその効果を御理解いただくために、ここに図面を参照とした実施例を用いて次の如く詳細説明を行う。
【０００９】
図１乃至図６に示す通り、本考案は脚架棒１と支持アーム棒２と連結棒３と取り付け部４とにより構成される。前記脚架棒１は一端に枢着棒台１０１を突設し、他の一端底部にはねじ山または引っ張り嵌合により構成される締着体１０２を設けて吸盤体１０を移動吸着固定させる脚架棒を設け、吸盤体１０はＰＵ軟質接着体で製作するため、吸着台面の非平滑または窪みや隙間のある表面を圧して粘着密閉することができる。また、枢着棒台１０１の上部にはそれぞれ横向きの枢着螺合棒２００を支持アーム棒２に連結し、更に複数の支持アーム棒２の末端を横向きの枢着螺合棒４００で連結棒３に連結し相互に結合することで一体形成し、連結棒３中段には枢着棒台１０３を突設し、また、横向きの枢着螺合棒３００にはエッジ４０を360°または特定角度に調整可能な取り付け部４に連結し、取り付け部４のエッジ４０は挟持配置台５に挿入固定する。並びに、脚架棒１と連結棒３間に複数の支持アーム棒２と連結棒３を連結構成するアームを軸着することにより各脚架棒１を異なる高さ及び角度に調整して、異なる高さ及び段差のある台面上に便利に吸着固定させられる。必要な場合は挟持配置台５の底縁に電源挿入部５０を取り付けて積載物の充電や電気供給を行う。連結棒３は左右横方向の一文字形状には限定されず、三叉、四叉等多叉状の棒体とすることも可能であり、それぞれに支持アーム棒２を組み合わせて連結することも可能である。
【００１０】
実際に使用する場合、使用者はまず積載物を固定予定位置周囲の吸着台面の高さや形状に合わせて横向き枢着螺合棒２００と枢着螺合棒４００を押圧するか回転して緩めた後、脚架棒１を異なる高さ及び角度に調整し、締着体１０２を回転するか引き動かして各吸盤体１０を吸着台面上に垂直に吸着させ、並びに、連結棒３に軸着する取り付け部４のエッジ４０上に携帯電話、エムピースリー等の積載物を直接嵌設するか、積載物に対応する挟持配置台５を取り付けた後に携帯電話、エムピースリー等の積載物を嵌設挟持し、且つ横向き枢着螺合棒３００を押圧または回転して緩めて挟持配置台５を適当な位置及び方向に調整し、電源線を用いて電源挿入部５０と電源を連結すると携帯電話、エムピースリー、パソコン等の積載物に継続的に電力供給または充電ができるため支持アームの各台面位置への便利な配置を実現し、支持する底面積を拡大し支持の安定性を強化する。
【００１１】
前記挟持配置台５は図６に示す通り前端に開口１２を形成し、底部には嵌着台１３を設け、嵌着台１３は取り付け部４のエッジ４０に挿設して嵌合固定し、挟持配置台５底部の前方縁には逆鉤状の連結嵌入体１１を設け、連結嵌入体１１の上に前縁に弾性制御片２０を備えるストッパー台２１を挿入嵌合固定連結し、且つストッパー台２１は挟持配置台５前端の開口１２を密閉遮断し、使用者は片手で積載物を握り、積載物のエッジで弾性制御片２０をプッシュすると上方向に持ち上がり、迅速に積載物を挟持配置台５上方より入れるか取り出すことができ、並びに弾性制御片２０が自動的に戻る弾力によって積載物上方に圧力を加え挟持固定して便利に迅速に車上の積載物を取ったり置いたりする効果を達成する。
【００１２】
本考案の構造及び装置は市場及び刊行物に嘗て見られず、各位置にはいずれも迅速便利に支持アームを取り付けできる他、支持の安定性を強化する効果を備え、効果上に明らかな向上が見られるため、充分に実用新案特許の新規性或いは進歩性の要件に符合する。
【００１３】
前述した通り、前述したものは本考案の一部実施例であるのみで、本考案を制限するものではなく、本考案の創意精神及び特徴に基づき若干の変化修飾を加えて作り上げたものは何れも本特許の請求範囲内に含まれるものとする。
【符号の説明】
【００１４】
１  脚架棒
２  支持アーム棒
３  連結棒
４  取り付け部
５  挟持配置部
１０  吸盤体
１１  連結嵌入体
１２  開口
１３  嵌着台
２０  弾性制御片
２１  ストッパー台
４０  エッジ
５０  電源挿入部
１０１、１０３  枢着棒台
１０２  締着体
２００、３００、４００  枢着螺合棒
【図１】
0003162631.tif 000003
【図２】
0003162631.tif 000004
【図３】
0003162631.tif 000005
【図４】
0003162631.tif 000006
【図５】
0003162631.tif 000007
【図６】
0003162631.tif 000008